(57)【要約】【課題】  機器筐体にスピーカを直接に取り付ける場合に、スピーカの厚さ寸法などのばらつきを吸収させてスピーカをがたつきなく取り付けることを可能にし、併せて、組立作業性を改善する。【解決手段】  プロジェクタの筐体１の側壁１２の内面１３と、筐体１の底面１５から立ち上げられた左右のリブ要素６１との間の隙間にマイクロスピーカ５を割り込ませて、リブ要素６１の撓み変形に伴う復帰反力によってマイクロスピーカ５を側壁１２の内面１３に弾圧させる。マイクロスピーカ５の下端５１を底面１５に載架して上下方向で位置決めする。側壁１２の内面１３に設けた左右の位置決めリブ８によりマイクロスピーカ５を挾んで左右方向で位置決めする。【選択図】        図２
2006157701.tif 000002
【特許請求の範囲】
【請求項１】
機器筐体の側壁の内面にスピーカの前面を対面させてそのスピーカを機器筐体に取り付けるためのスピーカ取付構造であって、
機器筐体がプロジェクタの筐体であり、かつ、上記スピーカがマイクロスピーカであり、
上記側壁の内面と、その内面に対向して上記機器筐体の底面から立ち上げられた左右一対のリブ要素との間の隙間に上記スピーカを割り込ませて、そのスピーカの背面の中央位置を挟む左右両側２箇所に上記リブ要素の幅方向端面を弾接させてそれらのリブ要素を弾性的に撓み変形させることにより、それらのリブ要素の復帰反力によって上記スピーカを上記側壁の内面に弾圧させてあり、
上記スピーカの下端が機器筐体の上記底面に載架されてそのスピーカが上下方向で位置決めされ、かつ、上記スピーカが機器筐体の上記側壁の内面に突設された左右の位置決めリブにより挾まれて左右方向で位置決めされていて、左右一対の上記リブ要素の上端と、機器筐体の内面と、左右の上記位置決めリブとによって囲まれる空間が、上記スピーカの差込み口として形成されていることを特徴とするスピーカ取付構造。
【請求項２】
機器筐体の内面にスピーカの前面を対面させてそのスピーカを機器筐体に取り付けるためのスピーカ取付構造であって、
機器筐体の内面とその内面に対向配備された支持体との間の隙間に上記スピーカを割り込ませて上記支持体を弾性的に撓み変形させることにより、その支持体の復帰反力によって上記スピーカを上記機器筐体の内面に弾圧させてあることを特徴とするスピーカ取付構造。
【請求項３】
上記支持体が、上記機器筐体に設けられて幅方向端面が上記スピーカの背面に弾接しているリブでなる請求項２に記載したスピーカ取付構造。
【請求項４】
上記リブが、上記スピーカの背面の中央位置を挟む両側２箇所に弾接した一対のリブ要素に分かれている請求項３に記載したスピーカ取付構造。
【請求項５】
機器筐体の上記内面が当該機器筐体の側壁の内面に相当していて、上記リブが、機器筐体の底面から立ち上げられている請求項４に記載したスピーカ取付構造。
【請求項６】
上記スピーカの下端が機器筐体の上記底面に載架されてそのスピーカが上下方向で位置決めされている請求項５に記載したスピーカ取付構造。
【請求項７】
上記スピーカが機器筐体の上記側壁の内面に突設された左右の位置決めリブにより挾まれて左右方向で位置決めされている請求項６に記載したスピーカ取付構造。
【請求項８】
一対の上記リブ要素の上端と機器筐体の内面との間の隙間が、上記スピーカの差込み口として形成されている請求項４ないし請求項７のいずれか１項に記載したスピーカ取付構造。
【請求項９】
一対の上記リブ要素の上端と、機器筐体の内面と、左右の上記位置決めリブとによって囲まれる空間が、上記スピーカの差込み口として形成されている請求項４ないし請求項７のいずれか１項に記載したスピーカ取付構造。
【発明の詳細な説明】
【技術分野】
【０００１】
本発明は、スピーカ取付構造、特に、プロジェクタなどの機器の筐体にスピーカを取り付けるときに採用されるスピーカ取付構造に関する。
【背景技術】
【０００２】
機器筐体にスピーカを取り付けるときには、筐体にスピーカを直接にビス止めするという手段、スピーカをスライドさせてボンド付けするという手段などがあった。また、スピーカを別ピースとしての取付部材に取り付け、その取付部材を筐体に取り付けるという手段（たとえば特許文献１参照）、スピーカの外周部を筐体に形成した隙間に嵌め込んで保持させるという手段（たとえば特許文献２参照）、スピーカの外周部を係止片に係止させるという手段（たとえば特許文献３参照）なども知られていた。
【０００３】
これらのうち、ビス止めやボンド付けを行うものは、煩わしいビス止め作業やボンド付け作業を行うために作業効率が悪かった。
【０００４】
これに対し、特許文献１に記載されている手段は、取付部材としての支持体の座面にスピーカの前面を重ねると共に、スピーカの外周部の適所を、上記支持体に一体に具備させた押え片で弾圧するというものであり、これによると、ビスを用いずにスピーカを支持体に取り付けることが可能であり、しかも、スピーカの動作時にビビリを生じることがなくなるとされている。また、特許文献２に記載されている手段は、ケース本体の下面部とその下面部の内側に形成された枠部との間の隙間にスピーカの外周縁を嵌入するというものである。さらに、特許文献３に記載されている手段は、キャビネットの側面板に備えられた３つのリブにスピーカの端部を係合させると共に、キャビネットの底板に取り付けた係止片によってスピーカの端部を押し付けて係止させるというものである。
【特許文献１】実用新案登録第３０５６７６７号公報
【特許文献２】特許第３０３１３５９号公報
【特許文献３】特開平１０−３０８９９１号公報
【発明の開示】
【発明が解決しようとする課題】
【０００５】
しかしながら、特許文献１に記載されているものは、支持体にスピーカを取り付ける手段を提供したものであって、機器筐体にスピーカを直接に取り付ける構造を提供したものではない。したがって、スピーカを機器筐体に取り付ける場合には、支持体が余分に必要になるだけでなく、機器筐体に支持体の取付スペースを余分に確保することを余儀なくされるために、それだけ機器筐体のコンパクト化が阻害されるという問題がある。また、特許文献２に記載されているものは、スピーカを必ずしもがたつきなく取り付けるというものではなく、露出取付型のハンズフリーテレビインターホンユニットのように、ただ単にスピーカをケースに保持させておけば足りるような取付構造を提供しているだけである。さらに、特許文献３に記載されているものは、キャビネットとは別体の係止片を用いることが不可欠であるため、部品点数が増加して組立工数が増大する。
【０００６】
本発明は以上の状況の下でなされたものであり、機器筐体にスピーカを直接に取り付けることを基本とし、スピーカの厚さ寸法などのばらつきを吸収し得るものでありながら、スピーカをがたつきなく機器筐体に取り付けることのできるスピーカ取付構造を提供することを目的とする。
【０００７】
また、本発明は、機器筐体とは別体の取付け用部品を用いることなく、スピーカを機器筐体に取り付けることのできるスピーカ取付構造を提供することを目的とする。
【０００８】
さらに、本発明は、スピーカの取付けに際してスピーカの押込み操作という単純な作業を行うだけでスピーカを機器筐体にがたつきなく取り付けることのできるスピーカ取付け構造を提供することを目的とする。
【課題を解決するための手段】
【０００９】
本発明に係るスピーカ取付構造は、機器筐体の内面にスピーカの前面を対面させてそのスピーカを機器筐体に取り付けるためのスピーカ取付構造であって、機器筐体の内面とその内面に対向配備された支持体との間の隙間に上記スピーカを割り込ませて上記支持体を弾性的に撓み変形させることにより、その支持体の復帰反力によって上記スピーカを上記機器筐体の内面に弾圧させてある、というものである。
【００１０】
この取付構造であると、スピーカを機器筐体の内面と支持体との間の隙間にスピーカを割り込ませるだけでスピーカが機器筐体に直接に取り付けられる。また、スピーカを機器筐体の内面と支持体との間の隙間にスピーカを割り込ませる作業は、スピーカの厚さ寸法にばらつきが存在しても特別な困難なく可能であるので、スピーカの厚さ寸法のばらつきが吸収されるという作用が奏される。
【００１１】
本発明では、上記支持体が、上記機器筐体に設けられて幅方向端面が上記スピーカの背面に弾接しているリブでなるという構成を採用することが可能であり、この場合には、上記リブが、上記スピーカの背面の中央位置を挟む両側２箇所に弾接した一対のリブ要素に分かれていることが望ましい。この構成であれば、リブやそのリブを形成する一対のリブ要素が機器筐体に一体化されているので、機器筐体とは別体の取付部品を用いずにスピーカが機器筐体にがたつきなく取り付けられる。特に、リブが、スピーカの背面の中央位置を挟む両側２箇所に弾接した一対のリブ要素に分かれていると、それら一対のリブ要素が個別に撓み変形するために、スピーカがその中央位置の両側箇所に加えられた力で機器筐体の内面に弾圧された状態になってスピーカの取付安定性が向上する。
【００１２】
本発明では、機器筐体の上記内面が当該機器筐体の側壁の内面に相当していて、上記リブが、機器筐体の底面から立ち上げられている、という構成を採用することが可能であり、その場合には、上記スピーカの下端が機器筐体の上記底面に載架されてそのスピーカが上下方向で位置決めされているという構成を採用することが望ましい。これによれば、スピーカの上下方向の位置決めを機器筐体の底面を使って達成しているので、スピーカの上下方向の位置決めのために特別な部分を追加する必要がなくなり、そのことが、機器筐体のコンパクト化を促進する上で有益になる。
【００１３】
本発明では、上記スピーカが機器筐体の上記側壁の内面に突設された左右の位置決めリブにより挾まれて左右方向で位置決めされている、という構成を採用することが可能であり、これによれば、スピーカが機器筐体の底面によって上下方向で位置決めされ、かつ、左右の位置決めリブにより左右方向で位置決めされる。
【００１４】
本発明では、一対の上記リブ要素の上端と機器筐体の内面との間の隙間が、上記スピーカの差込み口として形成されていることが望ましい。また、一対の上記リブ要素の上端と、機器筐体の内面と、左右の上記位置決めリブとによって囲まれる空間が、上記スピーカの差込み口として形成されていることが望ましい。これらの各発明によれば、差込み口を通じてスピーカを差し込むだけでスピーカの取付けが可能になるので、スピーカの取付け作業性が向上して量産性に優れたものになる。
【００１５】
本発明に係るスピーカ取付構造は、機器筐体の側壁の内面にスピーカの前面を対面させてそのスピーカを機器筐体に取り付けるためのスピーカ取付構造であって、機器筐体がプロジェクタの筐体であり、かつ、上記スピーカがマイクロスピーカであり、上記側壁の内面と、その内面に対向して上記機器筐体の底面から立ち上げられた左右一対のリブ要素との間の隙間に上記スピーカを割り込ませて、そのスピーカの背面の中央位置を挟む左右両側２箇所に上記リブ要素の幅方向端面を弾接させてそれらのリブ要素を弾性的に撓み変形させることにより、それらのリブ要素の復帰反力によって上記スピーカを上記側壁の内面に弾圧させてあり、上記スピーカの下端が機器筐体の上記底面に載架されてそのスピーカが上下方向で位置決めされ、かつ、上記スピーカが機器筐体の上記側壁の内面に突設された左右の位置決めリブにより挾まれて左右方向で位置決めされていて、左右一対の上記リブ要素の上端と、機器筐体の内面と、左右の上記位置決めリブとによって囲まれる空間が、上記スピーカの差込み口として形成されている、という構成を採用することによっていっそう具体化され、特に、この発明によれば、設置場所の省スペース化を図りやすいマイクロスピーカを採用したプロジェクタの機器筐体のコンパクト化を促進しやすくなるという作用が奏される。
【発明の効果】
【００１６】
以上のように、本発明によれば、機器筐体にスピーカを直接に取り付ける場合に、スピーカの厚さ寸法などのばらつきを吸収させてスピーカをがたつきなく取り付けることが可能であるだけでなく、機器筐体とは別体の取付け用部品を用いることなく、スピーカを機器筐体に取り付けることが可能になり、さらに、スピーカの取付けに際してスピーカの押込み操作という単純な作業を行うだけでスピーカを機器筐体にがたつきなく取り付けることのできるために、組立作業性に優れて量産にも適うものである。
【発明を実施するための最良の形態】
【００１７】
図１は本発明に係るスピーカ取付構造を採用し得るプロジェクタの外観図である。同図において、１は筐体、２は投映口、３は排気口をそれぞれ示している。また、図２は本発明の実施形態に係るスピーカ取付構造の斜視図、図３は同取付け構造の平面図、図４は図３のＩＶ−ＩＶ線断面図、図５は図３のＶ−Ｖ線断面図、図６は要部の説明図である。
【００１８】
この取付構造では、図２のように、プロジェクタ（図１参照）の筐体１の側壁１２の内面１３に正面視円形のマイクロスピーカ５の前面５１（図３など参照）を対面させた状態で、そのマイクロスピーカ５が筐体１に取り付けられている。すなわち、マイクロスピーカ５はその前面外周部に緩衝作用を発揮する矢紙を備えていて、その矢紙が側壁１２の内面１３に重なる形態で筐体１に取り付けられる。
【００１９】
筐体１の側壁１２の内面１３と筐体１の底壁１４の内面１５との開き角度は直角になっていて、図２〜図５のように、その底壁１４の内面１５から立ち上げられた支持体としてのリブ６が、側壁１２の内面１３に間隔を隔てて対向している。図例では、リブ６が左右一対のリブ要素６１，６１に分かれてそれらのリブ要素６１，６１が個別に撓み変形することが可能となっている。また、それら左右のリブ要素６１，６１が、個別的な撓み変形可能な状態を維持したまま、底壁１４の内面１５から立ち上げられた板片部６２により一体化されて補強されている。図６に示したように、側壁１２の内面１３と各リブ要素６１との相互間隔寸法Ａは、同図に示したマイクロスピーカ５の本体部５２の厚さ寸法Ｂよりもやゝ短く定められている（Ａ＜Ｂ）。そして、リブ要素６１の上端と側壁１２の内面１３との間の隙間が、マイクロスピーカ５の差込み口７として形成されている。さらに、リブ要素６１の上端には、マイクロスピーカ５を差込み口７に案内するための傾斜ガイド面６３が備わっている。
【００２０】
この構成において、図６のようにマイクロスピーカ５を差込み口７の上方に位置させてから、そのマイクロスピーカ５の本体部５２を差込み口７に押し込んでいくと、その本体部５２が、側壁１２の内面１３と左右一対のリブ要素６１との間の隙間Ｓに割り込み、左右のリブ要素６１が樹脂に特有の弾性を発揮して個別に弾性的に後方へ撓み変形する。その結果、リブ要素６１の復帰反力によってそれらのリブ要素６１の幅方向端面６１ａがマイクロスピーカ５の本体部５２の背面（マイクロスピーカの背面）に図３又は図５のように弾接し、マイクロスピーカ５が隙間Ｓ内で図３矢印ａのように側壁１２の内面１３に対して弾圧される。この場合に、マイクロスピーカ５の本体部５２を差込み口７に押し込んで側壁１２の内面１３と左右一対のリブ要素６１との間の隙間Ｓに割り込ませることは、たとえマイクロスピーカ５の本体部５２の厚さ寸法Ｂにばらつきがあっても可能であるので、厚さ寸法Ｂのばらつきはリブ要素６１の個別的な撓み変形によって良好に吸収される。
【００２１】
このようにマイクロスピーカ５を左右のリブ要素６１の復帰反力によって側壁１２の内面１３に弾圧させておくと、それだけでマイクロスピーカ５が筐体１に動かないように固定されるため、ビスやボンドなどを用いてマイクロスピーカ５を筐体１に固定する必要がなくなる。特にこの実施形態では、左右のリブ要素６１，６１を板片部６２によって一体化してあるので、リブ要素６１，６１が筐体１と共に一体成形された樹脂製であるとしても、板片部６２による補強作用によってリブ要素６１，６１に大きな弾性が付与され、しかも、リブ要素６１，６１による弾圧力がクリープ現象によって早期に減衰してしまうという事態が抑制される。したがって、この実施形態によると、マイクロスピーカ５が長期に亘って筐体１にがたつきなく強固に取り付けられた状態を維持してその取付安定性が向上するという卓越した作用が発揮される。
【００２２】
この実施形態では、図４又は図５のように、マイクロスピーカ５の下端を筐体１の底壁１４の内面１５に載架してあり、そうすることによって、マイクロスピーカ５を上下方向で位置決めしてある。また、筐体１の側壁１２の内面には、左右の位置決めリブ８，８が一体に備わっていて、この位置決めリブ８，８の相互間隔をマイクロスピーカ５の直径と略同一に定めてある。そして、図３又は図４のように、これらの位置決めリブ８，８によって、筐体１に取り付けられたマイクロスピーカ５を挟んで左右方向で位置決めしてある。こうしておくと、マイクロスピーカ５が側壁１２の内面１３と左右のリブ要素６１，６１とにより弾圧挟持されていることと併せて、底壁１４の底面１５による上下方向の位置決め作用、並びに、左右の位置決めリブ８，８による左右方向での位置決め作用によって、マイクロスピーカ５が高い位置精度で強固に筐体１に取り付けられることになる。
【００２３】
この実施形態では、左右の位置決めリブ８，８が、左右一対のリブ要素６１，６１の上端及び側壁１２の内面１３と共に上記差込み口７を形成している。そのためにマイクロスピーカ５の本体部５２を差込み口７に押し込んでいくときには、左右の位置決めリブ８，８がマイクロスピーカ５をまっすぐに下方へ案内する作用を発揮する。その結果、マイクロスピーカ５の背面の中央位置を挟む対称な左右両側２箇所に左右のリブ要素６１，６１が弾接してそのマイクロスピーカ５が所定位置に確実に固定されるという利点がある。
【００２４】
ところで、プロジェクタにあっては、その筐体１が上下に分割されていることが多い。そのような筐体１にあっては、たとえば図５に示したように、下側の側壁１２の上に配備される上側の側壁１６の下端でマイクロスピーカ５の上端５５を押し付けておくことが可能であり、そうすることによって、マイクロスピーカ５を底壁１４の内面１５と上側の側壁１６の下端とで挾み込んで上下方向の位置決めをより確実にしておくことが可能である。
【００２５】
以上説明した実施形態では、マイクロスピーカ５を側壁１２の内面１３に弾圧させる部材としてリブ６を選択し、さらにそのリブ６を左右のリブ要素６１，６１に分割した事例を説明したけれども、１つだけのリブにマイクロスピーカ５を弾圧させることも可能であり、さらに、リブ以外の部材、たとえば底壁１４の内面１５から立ち上げた幅広突起によってマイクロスピーカを弾圧させることも可能である。すなわち、リブ６、リブ要素６１、幅広突起などを広く支持体と称し、その支持体によってマイクロスピーカ５を弾圧させたものは本発明の範囲に含まれる。
【図面の簡単な説明】
【００２６】
【図１】本発明に係るスピーカ取付構造を採用し得るプロジェクタの外観図である。
【図２】本発明の実施形態に係るスピーカ取付構造の斜視図である。
【図３】同取付け構造の平面図である。
【図４】図３のＩＶ−ＩＶ線断面図である。
【図５】図３のＶ−Ｖ線断面図である。
【図６】要部の説明図である。
【符号の説明】
【００２７】
１  筐体
５  スピーカ（マイクロスピーカ）
６  リブ
７  スピーカの差込み口
８  位置決めリブ
１２  側壁
１３  側壁の内面
１５  底面
５１  マイクロスピーカの前面
５４  スピーカの下端
６１  リブ要素
６１ａ  リブ要素の幅方向端面
Ｓ  隙間
【図１】
2006157701.tif 000003
【図２】
2006157701.tif 000004
【図３】
2006157701.tif 000005
【図４】
2006157701.tif 000006
【図５】
2006157701.tif 000007
【図６】
2006157701.tif 000008